(57)【要約】【課題】データが不正に印刷されたような場合に印刷時の状況を把握する。【解決手段】携帯端末装置１０は、文書あるいは画像などのデータとこのデータに付随する通知先情報とを保存する。印刷装置２０は、携帯端末装置１０からデータおよび通知先情報を受信してデータの内容を印刷する。印刷装置２０は、データの内容を印刷した際に、携帯端末装置１０の識別情報（例えばメールアドレス）、データの識別情報（例えばデータ名）、データの印刷日時、印刷装置２０の識別情報（例えば印刷装置の設置場所情報等）を含んだ印刷情報を所定の通知先の装置（携帯端末装置３０）に送信する。【選択図】図１
2008213222.tif 000002
【特許請求の範囲】
【請求項１】
携帯端末装置から送信されるデータと該データに付随する通知先情報とを受信する受信部と、
受信した前記データの内容を印刷する印刷部と、
前記データの印刷に係る印刷情報を前記通知先情報に基づく通知先に送信する送信部と、
を備えることを特徴とする印刷装置。
【請求項２】
前記印刷情報は、前記携帯端末装置の識別情報、前記データの識別情報、前記データの印刷日時、および前記印刷装置の識別情報を含むことを特徴とする請求項１記載の印刷装置。
【請求項３】
前記通知先は、前記データを前記携帯端末装置に配布した配布元装置であることを特徴とする請求項１記載の印刷装置。
【請求項４】
請求項１乃至３のいずれか一に記載の印刷装置と、
保存してある前記データと前記通知先情報とを前記印刷装置に送信可能とする携帯端末装置と、
を備えることを特徴とする印刷システム。
【請求項５】
携帯端末装置が携帯端末装置内に保存しているデータと該データに付随する通知先情報とを印刷装置に送信して印刷要求を行うステップと、
前記印刷装置は、受信した前記データの内容を印刷するステップと、
前記印刷装置は、前記データの印刷に係る印刷情報を前記通知先情報に基づく通知先に送信するステップと、
を含むことを特徴とする印刷情報の通知方法。
【請求項６】
前記印刷情報は、前記携帯端末装置の識別情報、前記データの識別情報、前記データの印刷日時、および前記印刷装置の識別情報を含むことを特徴とする請求項５記載の印刷情報の通知方法。
【請求項７】
前記通知先は、前記データを前記携帯端末装置に配布した配布元装置であることを特徴とする請求項５記載の印刷情報の通知方法。
【請求項８】
印刷装置を構成するコンピュータに、
携帯端末装置から送信されるデータと該データに付随する通知先情報とを受信する処理と、
受信した前記データの内容を印刷する処理と、
前記データの印刷に係る印刷情報を前記通知先情報に基づく通知先に送信する処理と、
を実行させるプログラム。
【請求項９】
前記印刷情報は、前記携帯端末装置の識別情報、前記データの識別情報、前記データの印刷日時、および前記印刷装置の識別情報を含むことを特徴とする請求項８記載のプログラム。
【請求項１０】
前記通知先は、前記データを前記携帯端末装置に配布した配布元装置であることを特徴とする請求項８記載のプログラム。
【発明の詳細な説明】
【技術分野】
【０００１】
本発明は、印刷装置および印刷情報の通知方法ならびにプログラムに係り、特に、携帯端末内に保存してあるデータを印刷した際の印刷情報の通知を行う印刷装置および印刷情報の通知方法ならびにプログラムに係る。
【背景技術】
【０００２】
一般に、携帯端末内に保存してある文書データ等は、外部のメモリカード等に保存し直し、パソコン等で印刷している。このため、外出先等では、手軽に文書等を印刷することができず、利便性に欠けてしまう。そこで、外出先等においても、携帯端末内に保存してある文書等を印刷可能とするような印刷システムがいろいろ知られている（例えば、特許文献１、２、３、４参照）。
【０００３】
【特許文献１】特開２００２−８４３４８号公報
【特許文献１】特開２００２−３１２１３８号公報
【特許文献１】特開２００２−３１８７５７号公報
【特許文献１】特開２００６−２８７８６０号公報
【発明の開示】
【発明が解決しようとする課題】
【０００４】
ところで、携帯端末装置は、常時携帯されることから紛失しやすい傾向がある。また、盗難に遭う可能性もある。さらに、携帯端末装置に保存してある文書データあるいは画像データ等が不当に読み出されることもありうる。このような場合、携帯端末内に保存してあるデータの内容が不正に印刷されたことを知る技術は、従来知られておらず、不正に印刷されたとしても携帯端末装置の所有者にとっては、不正に印刷されたことを知る術がない。
【０００５】
したがって、本発明の目的は、携帯端末内に保存してあるデータが不正に印刷されたような場合であっても印刷情報の通知を行う印刷装置および印刷情報の通知方法ならびにプログラムを提供することにある。
【課題を解決するための手段】
【０００６】
本発明の１つのアスペクトに係る印刷装置は、携帯端末装置から送信されるデータと該データに付随する通知先情報とを受信する受信部と、受信したデータの内容を印刷する印刷部と、データの印刷に係る印刷情報を通知先情報に基づく通知先に送信する送信部と、を備える。
【０００７】
本発明の印刷装置において、印刷情報は、携帯端末装置の識別情報、データの識別情報、データの印刷日時、および印刷装置の識別情報を含むことが好ましい。
【０００８】
本発明の印刷装置において、通知先は、データを携帯端末装置に配布した配布元装置であってもよい。
【０００９】
本発明の他のアスペクトに係る印刷情報の通知方法は、携帯端末装置が携帯端末装置内に保存しているデータと該データに付随する通知先情報とを印刷装置に送信して印刷要求を行うステップと、印刷装置は、受信したデータの内容を印刷するステップと、印刷装置は、通知先情報に基づく通知先にデータの印刷に係る印刷情報を送信するステップと、を含む。
【００１０】
本発明のさらに他のアスペクトに係るプログラムは、印刷装置を構成するコンピュータに、携帯端末装置から送信されるデータと該データに付随する通知先情報とを受信する処理と、受信したデータの内容を印刷する処理と、データの印刷に係る印刷情報を通知先情報に基づく通知先に送信する処理と、を実行させる。
【発明の効果】
【００１１】
本発明によれば、携帯端末内に保存してあるデータの内容を印刷装置で印刷した際に、印刷に係る印刷情報を所定の通知先に通知する。このため、通知先において印刷に係る情報を知ることで、データが不正に印刷されたような場合における状況を把握することができる。
【発明を実施するための最良の形態】
【００１２】
本発明の実施形態に係る印刷システムは、文書あるいは画像などのデータとこのデータに付随する通知先情報とが保存された携帯端末装置（図１の１０）と、携帯端末装置からデータおよび通知先情報を受信してデータの内容を印刷する印刷装置（図１の２０）とを含む。印刷装置は、データの内容を印刷した際に、携帯端末装置の識別情報（例えばメールアドレス）、データの識別情報（例えばデータ名）、データの印刷日時、印刷装置の識別情報（例えば印刷装置の設置場所情報等）を含んだ印刷情報を所定の通知先の装置（図１の３０）に送信する。
【００１３】
データが不正に印刷されたような場合には、所定の通知先の装置において印刷情報の内容を判別し、データの印刷日時、印刷装置の識別情報等から印刷時の状況を把握することができる。以下、実施例に即し、図面を参照して詳細に説明する。
【実施例１】
【００１４】
図１は、本発明の実施例に係る印刷システムの構成を示すブロック図である。図１において、印刷システムは、携帯端末装置１０、３０、印刷装置２０を備える。
【００１５】
携帯端末装置１０は、ＣＰＵ１１、メモリ１２、無線部１３、表示部１４、近距離データ通信部１５、キー入力部１６、ＩＣカード１７等を備える装置であって、携帯電話端末装置やＰＤＡ（Ｐｅｒｓｏｎａｌ  Ｄｉｇｉｔａｌ  Ａｓｓｉｓｔａｎｔｓ）に相当する。
【００１６】
ＣＰＵ１１は、携帯端末装置１０の各部を制御し、携帯端末装置１０の各機能を実行する。メモリ１２は、携帯端末装置３０から送信された文書データを保存する。あるいは、外部メモリカード等を経由して取り込んだ文書データを保存する。無線部１３は、携帯端末装置３０との間で通信を行い、携帯端末装置３０から必要に応じて文書データを受信する。表示部１４は、文書データ等を表示する。近距離データ通信部１５は、メモリ１２に保存されている文書データと文書データに付随する通知先情報とを印刷装置２０に送信する。キー入力部１６は、各種操作のためにユーザの操作を受け付ける。ＩＣカード１７は、電子マネーの決済に用いる。
【００１７】
図２は、メモリ１２に保存されているデータの構成を示す図である。メモリ１２には、文書データ４１、端末メールアドレス４２、通知先メールアドレス４３が一組となって保存されている。文書データ４１には、携帯端末装置１０のメールアドレスである端末メールアドレス４２と、印刷情報の通知先である通知先メールアドレス４３とが付随して設定されている。通知先メールアドレス４３は、文書データ４１が他の携帯端末装置３０から電子メールの添付ファイルで受信したものである場合は、文書データ４１の送信元の装置のアドレスであってもよい。また、ユーザが外部メモリカード等を経由して保存したものである場合は、端末内に予め設定されている所定のメールアドレスであってもよい。
【００１８】
図３は、本発明の実施例に係る印刷装置の構成を示すブロック図である。図３において、印刷装置２０は、コンビニエンスストア等に設置されているコピー機、あるいはカメラ屋や電気店の店頭等に設置されている写真用のプリンタ等である。印刷装置２０は、受信部２１、送信部２２、料金決済部２３、印刷部２４、表示部２５、これら各部を制御する制御部２６を備える。制御部２６は、コンピュータによって構成され、所定のプログラムを実行することで、これら各部を機能させるようにしてもよい。
【００１９】
印刷装置２０は、携帯端末装置１０の近距離データ通信部１５から受信部２１を介して図２に示す、文書データ４１、端末メールアドレス４２、および通知先メールアドレス４３を受信する。
【００２０】
料金決済部２３は、文書データの白黒・カラーの種別、用紙サイズ、コピー枚数等の印刷条件によって定まる課金情報を携帯端末装置１０中のＩＣカード１７との間で送受信して決済を行う。なお、印刷条件は、表示部２５に表示し、不図示の操作部によって操作して決定するようにしてもよい。また、携帯端末装置１０から適宜印刷条件に係る情報を送信するようにしてもよい。
【００２１】
印刷部２４は、印刷条件にしたがって文書データ４１の内容の印刷を行う。
【００２２】
また、印刷装置２０は、印刷処理の後、文書データ４１の印刷に係る印刷情報を電子メールによって送信部２２を介して通知先メールアドレス４３に通知する。印刷情報は、携帯端末装置１０の識別情報（端末メールアドレス４２）、データの識別情報（文書データ名）、データの印刷日時、および印刷装置の識別情報（印刷を行った店舗名等）を含む。
【００２３】
携帯端末装置３０は、携帯端末装置１０と同様の端末であって、例えば、文書データ４１を携帯端末１０に送信した端末装置であってもよい。あるいは、所定の通知先である端末装置であってもよい。また、携帯端末装置に限定されず、不図示のネットワークで接続される端末装置であってもよい。
【００２４】
次に、印刷システムの動作について説明する。図４は、本発明の実施例に係る印刷システムの動作を示すフローチャートである。図４において、携帯端末装置１０は、携帯端末装置内に保存されている文書データ４１、端末メールアドレス４２および通知先メールアドレス４３を印刷装置２０に対して送信する（ステップＳ１）。
【００２５】
印刷装置２０は、文書データ４１、端末メールアドレス４２及び通知先メールアドレス４３を受信する（ステップＳ２）。また、カラー／白黒、枚数等の印刷指定画面を表示部２５に表示し（ステップＳ３）、所定の操作によって印刷条件を指定する。
【００２６】
次に、携帯端末装置１０との間で印刷条件に基づいて算出した料金の課金処理を行う（ステップＳ４、Ｓ５）。なお、ここでは、課金を電子マネーとして機能するＩＣカードに対して行うが、クレジット決済や現金等、別の手段によって行ってもよい。
【００２７】
課金処理が完了すると文書データ４１の内容を印刷する（ステップＳ６）。
【００２８】
文書データの印刷が完了すると、印刷装置２０は、通知先メールアドレス４３に対して、印刷情報を電子メールで送信する（ステップＳ７）。
【００２９】
なお、以上の説明において、印刷装置２０はコピー機であって、印刷される対象が文書データであるとした。しかし、これに限定されること無く、例えば、印刷装置２０は、カメラ屋や電気店の店頭等に設置されている写真用のプリンタ等であって、印刷される対象が画像データであってもよい。
【００３０】
以上説明したような印刷システムによれば、コンビニエンスストア等に設置されているコピー機（プリンタ）に対してデータを送信して、印刷を行うと共に、印刷した記録を印刷情報として通知することができる。したがって、例えば、携帯端末装置を紛失した場合等に、コンビニエンスストア等において不正に文書が印刷されたとすれば、印刷情報から印刷した店舗や印刷日時を判別することができる。そして、コンビニエンスストア等に設置されている防犯カメラ等で撮像された映像を検索して不正印刷者を特定することもできる。
【図面の簡単な説明】
【００３１】
【図１】本発明の実施例に係る印刷システムの構成を示すブロック図である。
【図２】メモリに保存されているデータの構成を示す図である。
【図３】本発明の実施例に係る印刷装置の構成を示すブロック図である。
【図４】本発明の実施例に係る印刷システムの動作を示すフローチャートである。
【符号の説明】
【００３２】
１０、３０  携帯端末装置
１１  ＣＰＵ
１２  メモリ
１３  無線部
１４  表示部
１５  近距離データ通信部
１６  キー入力部
１７  ＩＣカード
２０  印刷装置
２１  受信部
２２  送信部
２３  料金決済部
２４  印刷部
２５  表示部
２６  制御部
４１  文書データ
４２  端末メールアドレス
４３  通知先メールアドレス
【図１】
2008213222.tif 000003
【図２】
2008213222.tif 000004
【図３】
2008213222.tif 000005
【図４】
2008213222.tif 000006